(57)【特許請求の範囲】
【請求項１】
光ファイバコネクタのロック機構を有するアダプタに取り付けられるアダプタカバーであって、
前記アダプタに対して固着される固着部と、前記アダプタに嵌合されて前記ロック機構によりロックされた光ファイバコネクタをロックするロック部とを具備し、
前記ロック部は、前記固着部から片持ち梁状に延びる弾性ロックアームで構成され、該弾性ロックアームの先端に、前記アダプタに嵌合された前記光ファイバコネクタをロックするロック突起を設け、
前記弾性ロックアームは、前記光ファイバコネクタが前記アダプタに嵌合される際に、前記光ファイバコネクタが前記ロック突起に当接することによって前記光ファイバコネクタの嵌合が進行可能なように弾性変形し、
前記ロック突起に、前記光ファイバコネクタが当接した際に、前記弾性ロックアームの弾性変形を容易にする傾斜面を形成したことを特徴とするアダプタカバー。
【請求項２】
前記固着部は、前記アダプタに対して着脱可能に固着されることを特徴とする請求項１記載のアダプタカバー。
【請求項３】
請求項１又は２記載のアダプタカバーと、該アダプタカバーが取り付けられた、光ファイバコネクタのロック機構を有するアダプタとを具備することを特徴とするアダプタ組立体。
【請求項４】
請求項３記載のアダプタ組立体と、前記アダプタに嵌合された光ファイバコネクタとを具備することを特徴とする光ファイバコネクタ組立体。
【発明の詳細な説明】
【技術分野】
【０００１】
本発明は、光ファイバコネクタのロック機構を有するアダプタに取り付けられるアダプタカバー、アダプタ組立体、及び光ファイバコネクタ組立体に関する。
【背景技術】
【０００２】
光ファイバを有する光ファイバケーブルは、高速通信及びデータ通信に使用され、対向する光ファイバケーブルの端部には、１対の光ファイバコネクタが設けられる。これら１対の光ファイバコネクタは、アダプタを介して相互接続される。
従来、この種の１対の光ファイバコネクタを相互接続するアダプタとして、例えば、図１３に示すものが知られている（特許文献１参照）。
【０００３】
図１３に示すアダプタ１００は、アダプタハウジング１１０と、アダプタハウジング１１０に取り付けられるインサート１２０とを備えている。
アダプタハウジング１１０は、軸方向両端間を貫通するように延びる空洞１１１を有している。アダプタハウジング１１０の軸方向一端には、第１の光ファイバコネクタ（図示せず）が嵌合し、その嵌合された第１の光ファイバコネクタが接続される第１光コネクタ接続部１１２が設けられている。第１光コネクタ接続部１１２は、図示の例では、第１の光ファイバコネクタを構成するＦＣ形光ファイバコネクタが螺合する雄ねじ部となっている。
【０００４】
また、インサート１２０は、アダプタハウジング１１０の軸方向他端側から空洞１１１内に挿入され、アダプタハウジング１１０にラッチ係合する。インサート１２０には、アダプタハウジング１１０の軸方向他端側から空洞１１１内に挿入された第２の光ファイバコネクタ（図示せず）をロックするロック機構１２１が設けられている。ロック機構１２１は、図示の例では、第２の光ファイバコネクタを構成するＳＣ形光ファイバコネクタをロックする上下一対の片持ち梁状のロックアームで構成されている（上側のロックアームのみ図示）。
【先行技術文献】
【特許文献】
【０００５】
【特許文献１】特開平９−１０５８３６号公報
【発明の概要】
【発明が解決しようとする課題】
【０００６】
ところで、図１３に示すような従来のアダプタ１００により接続された一対の光ファイバコネクタは、光ファイバコネクタに強い引張力が作用する環境と、光ファイバコネクタに弱い引張力が作用する環境とにおいて使用されるのが一般的である。
前者は、例えば、図１３に示す従来のアダプタ１００により接続された一対の光ファイバコネクタにおいて、アダプタ１００に嵌合された第２の光ファイバコネクタにロック機構１２１によるロック力より強い引張力が作用する環境である。この環境は、例えば、第２の光ファイバコネクタに接続された光ファイバケーブルに必要以上に強い引張力が作用する場合である。
【０００７】
ここで、図１３に示す従来のアダプタ１００に嵌合された第２の光ファイバコネクタにロック機構１２１によるロック力より強い引張力が作用すると、第２の光ファイバコネクタがアダプタ１００から抜け出てしまう。
一方、図１３に示す従来のアダプタ１００において、この第２の光ファイバコネクタの抜け出しを防止するために、ロック機構１２１を構成するロックアームの肉厚を厚くしたりしてロック機構１２１のロック力を高めることが考えられる。しかし、このようにすると、光ファイバコネクタに弱い引張力が作用する環境に使用される場合には、過剰な構成となってしまう。
【０００８】
従って、本発明は上述の問題点に鑑みてなされたものであり、その目的は、光ファイバコネクタに強い引張力が作用する環境に使用される場合に、光ファイバコネクタのロック機構を有するアダプタに対して後付けが可能な、光ファイバコネクタをロックするロック部を有するアダプタカバー、アダプタ組立体、及び光ファイバコネクタ組立体を提供することにある。
【課題を解決するための手段】
【０００９】
上記目的を達成するために、本発明のうち請求項１に係るアダプタカバーは、光ファイバコネクタのロック機構を有するアダプタに取り付けられるアダプタカバーであって、前記アダプタに対して固着される固着部と、前記アダプタに嵌合されて前記ロック機構によりロックされた光ファイバコネクタをロックするロック部とを具備し、前記ロック部は、前記固着部から片持ち梁状に延びる弾性ロックアームで構成され、該弾性ロックアームの先端に、前記アダプタに嵌合された前記光ファイバコネクタをロックするロック突起を設け、前記弾性ロックアームは、前記光ファイバコネクタが前記アダプタに嵌合される際に、前記光ファイバコネクタが前記ロック突起に当接することによって前記光ファイバコネクタの嵌合が進行可能なように弾性変形し、前記ロック突起に、前記光ファイバコネクタが当接した際に、前記弾性ロックアームの弾性変形を容易にする傾斜面を形成したことを特徴としている。
【００１０】
また、本発明のうち請求項２に係るアダプタカバーは、請求項１記載のアダプタカバーにおいて、前記固着部は、前記アダプタに対して着脱可能に固着されることを特徴としている。
【００１２】
また、本発明のうち請求項３に係るアダプタ組立体は、請求項１又は２記載のアダプタカバーと、該アダプタカバーが取り付けられた、光ファイバコネクタのロック機構を有するアダプタとを具備することを特徴としている。
また、本発明のうち請求項４に係る光ファイバコネクタ組立体は、請求項３記載のアダプタ組立体と、前記アダプタに嵌合された光ファイバコネクタとを具備することを特徴としている。
【発明の効果】
【００１３】
本発明に係るアダプタカバー、アダプタ組立体、及び光ファイバコネクタ組立体によれば、アダプタに対して固着される固着部と、アダプタに嵌合されてロック機構によりロックされた光ファイバコネクタをロックするロック部とを具備する。このため、光ファイバコネクタに強い引張力、アダプタのロック機構によるロック力よりも強い引張力が作用する環境に使用される場合に、アダプタカバーをアダプタに取り付けることにより、アダプタのロック機構によるロック力の他に、アダプタカバーのロック部によるロック力を付加することができる。このため、光ファイバコネクタにアダプタのロック機構によるロック力よりも強い引張力が作用しても光ファイバコネクタの抜け出しを防止することができる。従って、光ファイバコネクタのロック機構を有するアダプタに対して後付けが可能な、光ファイバコネクタをロックするロック部を有するアダプタカバーを提供することができる。
一方、光ファイバコネクタにアダプタのロック機構によるロック力よりも弱い引張力が作用する環境に使用される場合には、アダプタカバーをアダプタに取り付けずに、アダプタのロック機構によるロック力のみで光ファイバケーブルをロックすることができる。
【図面の簡単な説明】
【００１４】
【図１】本発明に係る光ファイバコネクタ組立体の第１実施形態の分解斜視図である。
【図２】本発明に係るアダプタ組立体の第１実施形態と、光ファイバコネクタとを分解して示す斜視図である。
【図３】図２に示すアダプタ組立体に光ファイバコネクタを嵌合した状態の斜視図である。
【図４】図２に示すアダプタ組立体に光ファイバコネクタを嵌合した状態の縦断面図である。
【図５】本発明に係るアダプタカバーの第１実施形態を除いて、アダプタと、光ファイバコネクタとを分解して示す斜視図である。
【図６】図５に示すアダプタに光ファイバコネクタを嵌合した状態の斜視図である。
【図７】図５に示すアダプタに光ファイバコネクタを嵌合した状態の縦断面図である。
【図８】本発明に係るアダプタの第１実施形態を示し、（Ａ）は平面図、（Ｂ）は左側面図、（Ｃ）は正面図、（Ｄ）は（Ｃ）における８Ｄ−８Ｄ線に沿う断面図である。
【図９】図８に示すアダプタカバーが取り付けられるアダプタを示し、（Ａ）は平面図、（Ｂ）は左側面図、（Ｃ）は正面図、（Ｄ）は（Ｃ）における９Ｄ−９Ｄ線に沿う断面図である。
【図１０】本発明に係るアダプタ組立体の第２実施形態と、光ファイバコネクタとを分解して示す斜視図である。
【図１１】本発明に係るアダプタ組立体の第２実施形態の斜視図である。
【図１２】図１１に示すアダプタ組立体の分解斜視図である。
【図１３】従来例のアダプタの一部断面図である。
【発明を実施するための形態】
【００１５】
以下、本発明に係るアダプタカバー、アダプタ組立体、及び光ファイバコネクタ組立体の第１実施形態を図１乃至図９を参照して説明する。
図１乃至図４において、アダプタカバー１０は、光ファイバコネクタ４０に強い引張力が作用する環境に使用される場合にアダプタ２０に取り付けられてアダプタ組立体３０を構成する。そして、光ファイバコネクタ４０が、アダプタ組立体３０の一端側（アダプタカバー１０を取り付けた側、前側、図４における右側）からアダプタ２０内に嵌合し、光ファイバコネクタ組立体５０を構成する。一方、アダプタ組立体３０の他端側（後側）には、アダプタ２０とは別個の図示しないアダプタがアダプタ２０に取り付けられる。そして、光ファイバコネクタ４０とは別個の光ファイバコネクタが、アダプタ組立体３０の他端側から前記別個のアダプタ内に嵌合し、光ファイバコネクタ４０に相互接続される。
【００１６】
なお、光ファイバコネクタ４０に弱い引張力が作用する環境に使用される場合には、図５乃至図７に示すように、アダプタカバー１０をアダプタ２０に取り付けない。そして、光ファイバコネクタ４０をアダプタ２０の一端側からアダプタ２０内に嵌合し、光ファイバコネクタ４０とは別個の光ファイバコネクタをアダプタ２０の他端側から別個のアダプタ内に嵌合することができる。
ここで、アダプタカバー１０は、図１及び図８（Ａ）、（Ｂ）、（Ｃ）、（Ｄ）に示すように、アダプタ２０の前側に固着される固着部１１と、フード部１３と、ロック部１４とを備えている。アダプタカバー１０は、合成樹脂を成形することによって一体に形成される。
【００１７】
固着部１１は、略矩形の平板状に形成され、図１及び図４に示すように、略中央に矩形状の開口１２を備えている。開口１２は、アダプタ２０の後述する突出部２２が挿通可能になっている。開口１２を挟んだ固着部１１の上下両側には、固着部１１をアダプタ２０に対して固着するための取付ねじ（図示せず）が挿通される１対の取付ねじ用貫通孔１１ａが形成されている。固着部１１は、取付ねじによりアダプタ２０に対して固着され、取付ねじを外すことによりアダプタ２０から取り外し可能である。従って、固着部１１は、アダプタ２０に対して着脱可能に固着される。
また、フード部１３は、固着部１１の開口１２の周囲から前方に延びる四角筒状に形成され、後方からアダプタ２０の突出部２２を受容可能になっている。また、フード部１３は、前方から光ファイバコネクタ４０を受容可能となっている。
【００１８】
更に、ロック部１４は、固着部１１の開口１２の上端縁から前方、即ちフード部１３内に片持ち梁状に延びる弾性ロックアームで構成される。ロック部１４は、図４に示すように、アダプタ２０に嵌合されて後述するロック用開口（ロック機構）２５によりロックされた光ファイバコネクタ４０をロックする機能を有する。ロック部１４を構成する弾性ロックアームの先端（前端）には、アダプタ２０に嵌合された光ファイバコネクタ４０をロックするロック突起１５が設けられている。ロック突起１５は、図４に示すように、光ファイバコネクタ４０のコネクタハウジング４１に形成された肩部４１ａをロックする。また、ロック部１４を構成する弾性ロックアームは、光ファイバコネクタ４０がアダプタ２０に嵌合される際に、光ファイバコネクタ４０がロック突起１５に当接する。これにより、光ファイバコネクタ４０の嵌合が進行可能なように弾性ロックアームが上方（外方）へ弾性変形する。そして、ロック突起１５の光ファイバコネクタ４０が嵌合する側の面（前面）には、光ファイバコネクタ４０が当接した際に、弾性ロックアームの上方への弾性変形を容易にする傾斜面１６が形成されている。傾斜面１６は、ロック突起１５の当該面の上下方向略中央部から下面に向けて斜め後方に傾斜している。
【００１９】
また、アダプタカバー１０が取り付けられるアダプタ２０は、略直方体状のアダプタ本体部２１と、アダプタ本体部２１の前面上下方向略中央部から前方に延びる略四角筒状の突出部２２とを備えている。アダプタ２０は、合成樹脂を成形することによって形成される。そして、アダプタ本体部２１の後面から突出部２２の前面にかけて光ファイバコネクタ受容孔２３が貫通している。アダプタ本体部２１の上端部及び下端部には、固着部１１をアダプタ２０に対して固着するための取付ねじが螺合される１対の溝２４が設けられている。各溝２４は、アダプタ本体部２１の前面から後面にかけて貫通している。更に、突出部２２の上壁及び下壁には、光ファイバコネクタ４０に形成されたディテント部４５が係合する１対のロック用開口（ロック機構）２５が形成されている。各ロック用開口２５は、図９（Ｄ）に示すように、突出部２２の上壁あるいは下壁を上下に貫通し、その前端面が図４に示すようにディテント部４５が係合する係合部２５ａを構成している。なお、アダプタ本体部２１の後端面には、図示しない別個のアダプタが取り付けられる。
【００２０】
また、光ファイバコネクタ４０は、レンズ多心光ファイバコネクタと呼ばれるもので、図１及び図４に示すように、コネクタハウジング４１と、コネクタハウジング４１内に設けられたレンズ多心フェルール４２と、光ファイバケーブル４３とを備えている。コネクタハウジング４１の上下両面には、アダプタ２０の突出部２２に形成されたロック用開口２５に係合する１対のディテント部４５が突出形成されている。また、レンズ多心フェルール４２は、コネクタハウジング４１内に設けられたばね（図示せず）により前方側（図４における左方側）に弱いばね力で付勢され、その前端面がコネクタハウジング４１の前端面から若干突出する。光ファイバケーブル４３は、図４に示すように、多数の光ファイバ４４がレンズ多心フェルール４２に接続されてコネクタハウジング４１から後方に導出される。
【００２１】
次に、光ファイバコネクタ４０にアダプタ１０のロック用開口（ロック機構）２５によるロック力よりも強い引張力が作用する環境に使用される場合の、光ファイバコネクタ４０の接続方法を図１乃至図４を参照して説明する。
この場合、先ず、図２に示すように、アダプタ２０の前側にアダプタカバー１０を取り付ける。この作業に際しては、アダプタカバー１０の開口１２からアダプタ２０の突出部２２を挿通し、当該突出部２２をアダプタカバー１０のフード部１３内に位置させる。そして、アダプタカバー１０の固着部１１をアダプタ本体部２１の前面に取付ねじにより固着する。
【００２２】
その後、図３に示すように、光ファイバコネクタ４０をアダプタ２０に嵌合する。この嵌合作業に際しては、光ファイバコネクタ４０のコネクタハウジング４１を、アダプタ２０の光ファイバコネクタ受容孔２３内にアダプタ２０の前側から挿入する。これにより、図４に示すように、コネクタハウジング４１に設けられたディテント部４５がアダプタ２０のロック用開口２５に係合し、光ファイバコネクタ４０がアダプタ２０に対してロックされる。また、このとき同時に、アダプタカバー１０に設けられたロック部１４のロック突起１５がコネクタハウジング４１に形成された肩部４１ａをロックする。これにより、光ファイバコネクタ４０はアダプタ２０に接続される。
【００２３】
このように、光ファイバコネクタ４０にアダプタ２０のロック機構によるロック力よりも強い引張力が作用する環境に使用される場合に、アダプタカバー１０をアダプタ２０に取り付ける。これにより、アダプタ２０のロック用開口（ロック機構）２５によるロック力の他に、アダプタカバー１０のロック部１４によるロック力を付加することができる。このため、光ファイバコネクタ４０にアダプタ２０のロック機構によるロック力よりも強い引張力が作用しても、光ファイバコネクタ４０の抜け出しを防止することができる。これにより、アダプタ２０に対して後付けが可能な、光ファイバコネクタ４０をロックするロック部１４を有するアダプタカバー１０を提供できる。
【００２４】
なお、光ファイバコネクタ４０をアダプタ２０に嵌合する際に、コネクタハウジング４１がロック突起１５の前面に当接し、ロック部１４を構成する弾性ロックアームが光ファイバコネクタ４０の嵌合が進行可能なように上方に弾性変形する。このため、アダプタカバー１０をアダプタ２０に取り付けた状態で、アダプタカバー１０のロック部１４が光ファイバコネクタ４０をロックすることができる。
また、アダプタカバー１０のロック突起１５の前面には、傾斜面１６が形成され、光ファイバコネクタ４０をアダプタ２０に嵌合する際に、コネクタハウジング４１がその傾斜面１６に当接する。これにより、ロック部１４を構成する弾性ロックアームの上方への弾性変形が容易になる。
【００２５】
一方、アダプタ２０の後側には、アダプタ２０とは別個の図示しないアダプタがアダプタ２０に取り付けられている。そして、光ファイバコネクタ４０とは別個の光ファイバコネクタを、アダプタ２０の後側から前記別個のアダプタ内に嵌合させると、この光ファイバコネクタが光ファイバコネクタ４０に相互接続される。
【００２６】
なお、光ファイバコネクタ４０にアダプタ２０のロック機構によるロック力よりも弱い引張力が作用する環境に使用される場合には、図５乃至図７に示すように、アダプタカバー１０をアダプタ２０に取り付けずに、光ファイバコネクタ４０をアダプタ２０の前側からアダプタ２０内に嵌合する。この嵌合作業に際しては、光ファイバコネクタ４０のコネクタハウジング４１を、アダプタ２０の光ファイバコネクタ受容孔２３内にアダプタ２０の前側から挿入する。これにより、図７に示すように、コネクタハウジング４１に設けられたディテント部４５がアダプタ２０のロック用開口２５に係合し、光ファイバコネクタ４０がアダプタ２０に対してロックされる。光ファイバコネクタ４０にアダプタ２０のロック機構によるロック力よりも弱い引張力が作用する環境に使用される場合には、コネクタハウジング４１に設けられたディテント部４５のアダプタ２０のロック用開口２５に対するロック力のみで足りる。従って、ロック機構の過剰な構成にはならない。但し、光ファイバコネクタ４０に弱い引張力作用する環境に使用される場合であっても、アダプタカバー１０をアダプタ２０に取り付けてもよい。
【００２７】
次に、本発明に係るアダプタカバー、アダプタ組立体、及び光ファイバコネクタ組立体の第２実施形態を図１０乃至図１２を参照して説明する。
図１０に示す光ファイバコネクタ組立体５０においては、図１に示す光ファイバコネクタ組立体５０と異なり、複数の光ファイバコネクタ４０がアダプタ２０に嵌合するようになっている。このため、図１０乃至図１２に示すアダプタカバー１０の構成及びアダプタ２０の構成が、図１乃至図４に示すアダプタカバー１０の構成及びアダプタ２０の構成と異なっている。
従って、図１０乃至図１２に示すアダプタカバー１０は、図１乃至図４に示すアダプタカバー１０と同様に、アダプタ２０の前側に固着される固着部１１と、フード部１３とを備えている。しかし、図１０乃至図１２に示すアダプタカバー１０は、図１乃至図４に示すアダプタカバー１０と異なり、単数ではなく、複数のロック部１４を備えている。
【００２８】
ここで、固着部１１は、図１乃至図４に示すアダプタカバー１０の固着部１１と同様に、略矩形の平板状に形成され、略中央に矩形状の開口１２を備えている。開口１２は、アダプタ２０の突出部２２が挿通可能になっている。開口１２を挟んだ固着部１１の上下両側には、固着部１１をアダプタ２０に対して固着するための取付ねじ（図示せず）が挿通される複数対の取付ねじ用貫通孔１１ａが形成されている。固着部１１は、取付ねじによりアダプタ２０に対して固着され、取付ねじを外すことによりアダプタ２０から取り外し可能である。従って、固着部１１は、アダプタ２０に対して着脱可能に固着される。
また、フード部１３は、固着部１１の開口１２の周囲から前方に延びる四角筒状に形成され、後方からアダプタ２０の突出部２２を受容可能になっている。また、フード部１３は、前方から複数の光ファイバコネクタ４０を受容可能となっている。
【００２９】
更に、複数のロック部１４は、アダプタ２０に設けられた複数の光ファイバコネクタ受容孔２３に対応して配置される。各ロック部１４は、図１乃至図４に示すアダプタカバー１０のロック部１４と同様に、固着部１１の開口１２の上端縁から前方、フード部１３内に片持ち梁状に延びる弾性ロックアームで構成される。各ロック部１４は、図１０に示すように、アダプタ２０に嵌合されてロック用開口（ロック機構）２５によりロックされた光ファイバコネクタ４０をロックする機能を有する。各ロック部１４を構成する弾性ロックアームの先端（前端）には、アダプタ２０に嵌合された光ファイバコネクタ４０をロックするロック突起１５が設けられている。ロック突起１５は、図１０に示すように、光ファイバコネクタ４０のコネクタハウジング４１に形成された肩部４１ａをロックする。また、ロック部１４を構成する弾性ロックアームは、光ファイバコネクタ４０がアダプタ２０に嵌合される際に、光ファイバコネクタ４０がロック突起１５に当接する。これにより、光ファイバコネクタ４０の嵌合が進行可能なように弾性ロックアームが上方（外方）へ弾性変形する。そして、ロック突起１５の光ファイバコネクタ４０が嵌合する側の面（前面）には、光ファイバコネクタ４０が当接した際に、弾性ロックアームの上方への弾性変形を容易にする傾斜面１６が形成されている。傾斜面１６は、ロック突起１５の当該面の上下方向略中央部から下面に向けて斜め後方に傾斜している。
【００３０】
また、アダプタカバー１０が取り付けられるアダプタ２０は、図１乃至図４に示すアダプタ２０と同様に、略直方体状のアダプタ本体部２１と、アダプタ本体部２１の前面上下方向略中央部から前方に延びる略四角筒状の突出部２２とを備えている。そして、アダプタ本体部２１の後面から突出部２２の前面にかけて複数の光ファイバコネクタ受容孔２３が貫通している。アダプタ本体部２１の上端部及び下端部には、固着部１１をアダプタ２０に対して固着するための取付ねじが螺合される複数対の溝２４が設けられている。各溝２４は、アダプタ本体部２１の前面から後面にかけて貫通している。更に、突出部２２の上壁及び下壁であって各光ファイバコネクタ受容孔２３に対応する位置には、複数の光ファイバコネクタ４０に形成された複数のディテント部４５が係合する複数対のロック用開口（ロック機構）２５が形成されている。各ロック用開口２５は、突出部２２の上壁あるいは下壁を上下に貫通し、その前端面がディテント部４５が係合する係合部を構成している。なお、アダプタ本体部２１の後端面には、図示しない別個のアダプタが取り付けられる。
【００３１】
また、各光ファイバコネクタ４０は、レンズ多心光ファイバコネクタと呼ばれるもので、図１乃至図４に示す光ファイバコネクタ４０と同様の構成を有する。従って、その説明は省略する。
そして、各光ファイバコネクタ４０にアダプタ２０のロック機構によるロック力よりも強い引張力が作用する環境に使用される場合に、アダプタカバー１０をアダプタ２０に取り付ける。これにより、アダプタ２０のロック用開口（ロック機構）２５によるロック力の他に、アダプタカバー１０のロック部１４によるロック力を付加することができる。このため、各光ファイバコネクタ４０にアダプタ２０のロック機構によるロック力よりも強い引張力が作用しても、光ファイバコネクタ４０の抜け出しを防止することができる。これにより、アダプタ２０に対して後付けが可能な、光ファイバコネクタ４０をロックするロック部１４を有するアダプタカバー１０を提供できる。
【００３２】
なお、各光ファイバコネクタ４０をアダプタ２０に嵌合する際に、コネクタハウジング４１がロック突起１５の前面に当接し、ロック部１４を構成する弾性ロックアームが光ファイバコネクタ４０の嵌合が進行可能なように上方に弾性変形する。このため、アダプタカバー１０をアダプタ２０に取り付けた状態で、アダプタカバー１０のロック部１４が光ファイバコネクタ４０をロックすることができる。
【００３３】
また、アダプタカバー１０のロック突起１５の前面には、傾斜面１６が形成され、光ファイバコネクタ４０をアダプタ２０に嵌合する際に、コネクタハウジング４１がその傾斜面１６に当接する。これにより、ロック部１４を構成する弾性ロックアームの上方への弾性変形が容易になる。
一方、アダプタ２０の後側には、アダプタ２０とは別個の図示しないアダプタがアダプタ２０に取り付けられている。そして、各光ファイバコネクタ４０とは別個の複数の光ファイバコネクタを、アダプタ２０の後側から前記別個のアダプタ内に嵌合させる。これにより、これら光ファイバコネクタが複数の光ファイバコネクタ４０に相互接続される。
【００３４】
また、光ファイバコネクタ４０にアダプタ２０のロック機構によるロック力よりも弱い引張力が作用する環境に使用される場合には、図５乃至図７に示す場合と同様に、アダプタカバー１０をアダプタ２０に取り付けずに、各光ファイバコネクタ４０をアダプタ２０の前側からアダプタ２０内に嵌合すればよい。
なお、アダプタ２０にアダプタカバー１０を取り付けた場合において、光ファイバコネクタ４０をロック解除するには、例えば図示していない治具によりロック部１４を外方へ弾性変形させる。或いは、プルタブ（図示せず）を有する光ファイバコネクタ４０のプルタブにより、ロック部１４を外方へ弾性変形させてもよい。
【００３５】
以上、本発明の実施形態について説明してきたが、本発明はこれに限定されずに、種々の変更、改良を行うことができる。
例えば、アダプタカバー１０の固着部１１は、アダプタ２０に対して必ずしも着脱可能に固着される必要はなく、熱溶着やピン止め等によって着脱不能に固着してもよい。
また、アダプタ２０に嵌合される光ファイバコネクタ４０は、レンズ多心光ファイバコネクタに限らず、ＳＣ形等の他の光ファイバコネクタであってもよい。一方、アダプタ２０に嵌合する別個の光ファイバコネクタは、ＳＣ形、ＦＣ形、ＭＰＯ形等種々の光ファイバコネクタを適用できる。
【符号の説明】
【００３６】
１０  アダプタカバー
１１  固着部
１４  ロック部
１５  ロック突起
１６  傾斜面
２０  アダプタ
２５  ロック用開口（ロック機構）
３０  アダプタ組立体
４０  光ファイバコネクタ
５０  光ファイバコネクタ組立体
【図１】
0005869321.tif 000002
【図２】
0005869321.tif 000003
【図３】
0005869321.tif 000004
【図４】
0005869321.tif 000005
【図５】
0005869321.tif 000006
【図６】
0005869321.tif 000007
【図７】
0005869321.tif 000008
【図８】
0005869321.tif 000009
【図９】
0005869321.tif 000010
【図１０】
0005869321.tif 000011
【図１１】
0005869321.tif 000012
【図１２】
0005869321.tif 000013
【図１３】
0005869321.tif 000014